(57)【要約】【課題】奇数フィールド期間に奇数ライン映像信号を複数の画素に書き込み、偶数フィールド期間に偶数ライン映像信号を複数の画素に重ねて書き込む表示装置において、静止画表示時のちらつき現象を抑止する。【解決手段】バッファアンプ２９Ｒ，２９Ｇ，２９Ｂのスルーレートが可変制御可能であり、そのスルーレートをスルーレート切換回路２８によって切り換える。スルーレート切換回路２８は、タイミング制御回路３０からのタイミング信号に基づいて、奇数フィールド期間、偶数フィールド期間毎にスルーレートを切り換える。これにより、同一表示ライン上に出力される奇数ライン映像信号と偶数ライン映像信号が平均化される。【選択図】図１
2007310222.tif 000002
【特許請求の範囲】
【請求項１】
複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、
前記映像ソースからの第１及び第２の映像信号を増幅して、前記複数の画素に供給するバッファアンプと、
前記複数の画素に書き込まれる第１及び第２の映像信号が平均化されるように、所定期間毎に、前記バッファアンプのスルーレートの切り換えを行うスルーレート切換回路と、を備えることを特徴とする表示装置。
【請求項２】
前記スルーレート切換回路は、前記第１、第２のフィールド期間毎に、前記スルーレートを切り換えるとともに、前記第１のフィールド期間のスルーレートを第１のスルーレートに設定し、前記第２のフィールド期間のスルーレートを第１のスルーレートと異なる第２のスルーレートに設定することを特徴とする請求項１に記載の表示装置。
【請求項３】
前記スルーレート切換回路は、前記第１及び第２の映像信号が動画に対応する場合には、前記バッファアンプのスルーレートの切り換えを停止することを特徴とする請求項１、２に記載の表示装置。
【請求項４】
複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、
前記映像ソースからの第１及び第２の映像信号を増幅して、前記複数の画素に供給するバッファアンプと、
前記バッファアンプから出力された第１及び第２の映像信号を積分して前記画素に供給する積分回路と、を備えることを特徴とする表示装置。
【請求項５】
前記積分回路は、前記バッファアンプの出力と前記画素の間に接続された抵抗と、前記画素内に設けられ、第１及び第２の映像信号を保持するための保持容量とからなることを特徴とする請求項４に記載の表示装置。
【請求項６】
前記第１及び第２の映像信号が動画に対応する場合には、前記積分回路の動作を停止させるスイッチング回路を備えることを特徴とする請求項４、５に記載の表示装置。
【請求項７】
前記画素は第１及び第２の映像信号を保持する保持容量と、この保持容量に保持された第１及び第２の映像信号に応じた電流を流すトランジスタと、このトランジスタに流れる電流に応じて発光する発光素子を備えることを特徴とする請求項１、４に記載の表示装置。
【請求項８】
前記発光素子は有機ＥＬ素子であることを特徴とする請求項７に記載の表示装置。
【発明の詳細な説明】
【技術分野】
【０００１】
本発明は、表示装置に関し、特に、インターレース信号を映像ソースとし、奇数フィールドの奇数ライン映像信号と、偶数フィールドの偶数ライン映像信号が同一の表示ライン上に交互に重ねて表示される表示装置に関する。
【背景技術】
【０００２】
一般に、液晶表示装置や有機ＥＬ表示装置の映像ソースの一種として、解像度向上のためにＮＴＳＣ等のインターレース信号が用いられている。インターレース信号は、図６に示すように、表示画面の４８０ラインの中、２４０本の奇数ラインに対応する映像信号である奇数ライン映像信号と、２４０本の偶数ラインに対応する映像信号である偶数ライン映像信号から構成されている。図６の例では、インターレース信号は「Ｘ」という文字の静止画に対応する信号である。
【０００３】
１フレームの周波数は３０Ｈｚであり、１フレームは、６０Ｈｚの周波数で交互に切り替わる奇数フィールドと偶数フィールドから構成され、奇数フィールド期間に奇数ライン映像信号が出力され、偶数フィールド期間に偶数ライン映像信号が出力される。
【０００４】
ところで、インターレース信号を受けて表示を行う表示装置の側では、４８０ラインのインターレース信号に対応して、表示画面のライン数は通常は４８０本で構成されるが、例えばデジタルカメラの電子ビューファインダーのように、ユーザーの要求仕様から、表示画面の表示ライン数は例えば２４０本と半分に設定されている。
【０００５】
そこで、そのような表示装置においては、図６、図７に示すように、映像ソースの奇数ライン映像信号と偶数ライン映像信号が同一ライン上にフィールド周期毎に重ね書きで表示するようしている。即ち、各ラインは複数の画素が配列されて構成され、奇数フィールド期間に奇数ライン映像信号が２４０本のラインに次々に書き込まれ、次の偶数フィールド期間に偶数ライン映像信号が２４０本のラインの画素に次々と書き込まれる。例えば、第１ラインには奇数ライン映像信号Ａと偶数ライン映像信号Ｂが重ね書きされ、第２４０ラインには奇数ライン映像信号Ｃと偶数ライン映像信号Ｄが重ね書きされる。このようにして、図６の例では表示装置に「Ｘ」という文字が表示されることになる。
【０００６】
インターレース信号を用いた表示装置については、特許文献１〜４に記載されている。
【特許文献１】特開平７−２６１７１３号公報
【特許文献２】特開平７−３０８３６号公報
【特許文献３】特開平９−２６５２７８号公報
【特許文献４】特開２００５−１０７１６７号公報
【発明の開示】
【発明が解決しようとする課題】
【０００７】
上述の表示装置では、映像ソースの奇数フィールドに対応した奇数ライン映像信号と偶数フィールドに対応した偶数ライン映像信号が同一表示ライン上に交互に表示される。
【０００８】
しかしながら、有機ＥＬ表示装置のように表示素子の応答速度が数μ秒と高速である表示装置において、映像ソースからの静止画を表示する場合に、奇数ライン映像信号と偶数ライン映像信号との間に大きな差があると、ちらつきとして視認され、表示映像が見辛くなるという問題があった。例えば、図６の例では、表示画面上、「Ｘ」という文字の模様が６０Ｈｚの周波数で上下にちらついて見える。
【課題を解決するための手段】
【０００９】
本発明は上述の課題に鑑みてなされたものであり、複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、映像ソースからの第１及び第２の映像信号を増幅して、複数の画素に供給するバッファアンプと、前記第１、第２のフィールド期間毎に、複数の画素に重ねて書き込まれる第１及び第２の映像信号が平均化されるように、バッファアンプのスルーレートの切り換えを行うスルーレート切換回路と、を備えることを特徴とする。
【００１０】
本発明によれば、バッファアンプのスルーレートの切り換えにより、第１の映像信号と第２の映像信号が平均化され、その差が減少するため、静止画表示時のちらつき現象が抑制される。
【００１１】
また、本発明は複数の画素を備え、第１のフィールド期間に映像ソースから出力された第１の映像信号を複数の画素に書き込み、第２のフィールド期間に映像ソースから出力された第２の映像信号を複数の画素に重ねて書き込む表示装置において、
映像ソースからの第１及び第２の映像信号を増幅して、複数の画素に供給するバッファアンプと、前記バッファアンプから出力された第１及び第２の映像信号を積分して前記画素に供給する積分回路と、を備えることを特徴とする。
【００１２】
本発明によれば、バッファアンプから出力された第１及び第２の映像信号を積分してから画素に供給しているので、第１の映像信号と第２の映像信号が平均化され、その差が減少することから、静止画表示時のちらつき現象が抑制される。
【発明の効果】
【００１３】
本発明の表示装置によれば、奇数フィールド期間に奇数ライン映像信号を複数の画素に書き込み、偶数フィールド期間に偶数ライン映像信号を複数の画素に重ねて書き込む表示装置において、静止画表示時のちらつき現象を抑制することが可能になる。
【発明を実施するための最良の形態】
【００１４】
本発明の第１の実施の形態に係る有機ＥＬ表示装置について図面を参照して説明する。この有機ＥＬ表示装置は、図１のブロック図に示すように、映像ソースから入力されるインターレース信号に対して各種の信号処理を施して、これを複数の画素１１がマトリクス状に配列された画素領域を含む表示パネル１０に出力する。この例では、インターレース信号はデジタル信号であるが、従来例と同様に、奇数ライン映像信号と偶数ライン映像信号から構成されている。
【００１５】
信号処理回路は、シリアル／パラレル変換器２１、ＲＧＢマトリクス２２、選択回路２３、色補正回路２４、コントラスト／ブライトネス調整回路２５、ガンマ補正回路２６、Ｄ／Ａ変換器２７、Ｄ／Ａ変換後のＲＧＢ（Ｒ：赤、Ｇ：緑、Ｂ：青）のアナログ映像信号を増幅するバッファアンプ２９Ｒ，２９Ｇ，２９Ｂを備える。そして、バッファアンプ２９Ｒ，２９Ｇ，２９Ｂからのアナログ映像信号が表示パネル１０に出力される。このアナログ映像信号についても、奇数フィールドに対応した奇数ライン映像信号と偶数フィールドに対応した偶数ライン映像信号から構成される。
【００１６】
表示パネル１０は、従来例と同様に、奇数ライン映像信号と偶数ライン映像信号が同一表示ライン上に交互に表示されるように構成されている。
【００１７】
本発明の特徴とする点は、バッファアンプ２９Ｒ，２９Ｇ，２９Ｂのスルーレートが可変制御可能であり、そのスルーレートをスルーレート切換回路２８によって切り換える。スルーレートとは、バッファアンプ２９Ｒ，２９Ｇ，２９Ｂの入力に対する出力の応答特性であり、スルーレートが高ければ応答速度が速く、スルーレートが低ければ応答速度が遅い。スルーレート切換回路２８は、タイミング制御回路３０からのタイミング信号に基づいて、奇数フィールド期間、偶数フィールド期間毎にスルーレートを切り換える。これにより、同一表示ライン上に出力される奇数ライン映像信号と偶数ライン映像信号が平均化されるので、静止画表示時のちらつき現象を抑制することが可能になる。
【００１８】
以下、各回路の構成と動作について説明する。シリアル／パラレル変換器２１は、シリアル信号であるＲＧＢのデジタル映像信号、及び輝度信号と色差信号とからなるＹＵＶ信号をパラレル信号に変換する。このパラレル信号のうちＹＵＶ信号は、ＲＧＢマトリックス２２によってＲＧＢのデジタル映像信号に変換される。シリアル／パラレル変換器２１から出力されたＲＧＢデジタル映像信号、もしくはＲＧＢマトリックス２２によってＹＵＶ信号から変換されたＲＧＢデジタル映像信号は、選択回路２３によっていずれか１つ選択されて出力される。
【００１９】
選択回路２３からのデジタル映像信号は、所定の色補正を行う色補正回路２４に入力される。色補正回路２４によって色補正されたデジタル映像信号は、そのコントラストや明るさを調整するコントラスト／ブライトネス調整回路２５に入力される。コントラスト／ブライトネス調整回路２５によってコントラスト及びブライトネス（明るさ）が調整されたデジタル映像信号は、ガンマ補正を行うガンマ補正回路２６に入力される。そして、ガンマ補正回路２６の出力は、Ｄ／Ａ変換器２７によってアナログ映像信号に変換される。
【００２０】
図２は、図１の画素１１とバッファアンプとの関係を示す回路図である。この例では、Ｒ（赤）に対応した画素１１、バッファアンプ２９Ｒを示したが、他の色に対応した画素、バッファアンプについても同様である。
【００２１】
画素１１について説明すると、Ｑ１は画素選択用ＴＦＴであり、ドレインは映像ラインＤＬに接続され、ゲートはゲートラインＧＬに接続され、ソースは駆動用ＴＦＴ（Ｑ２）のゲートに接続されている。駆動用ＴＦＴ（Ｑ２）のゲートには保持容量Ｃｓの第１の端子が接続されている。保持容量Ｃｓの第２の端子には保持容量電圧ＳＣが印加されている。また、駆動用ＴＦＴ（Ｑ２）のソースは、正電源電位ＰＶｄｄを供給する電源ラインＰＶＬに接続され、そのドレインは有機ＥＬ素子ＯＬＥＤのアノードに接続されている。有機ＥＬ素子ＯＬＥＤのカソードには負電源電位ＣＶが印加されている。
【００２２】
そして、Ｄ／Ａ変換器２７からのアナログ映像信号は、スルーレート切換回路２８によって制御されたバッファアンプ２９Ｒを通して映像ラインＤＬに出力され、画素１１に書き込まれる。即ち、ゲートラインＧＬに出力される画素選択信号に応じて画素選択用ＴＦＴ（Ｑ１）がオンすると、アナログ映像信号は画素選択用ＴＦＴ（Ｑ１）を通して、駆動用ＴＦＴ（Ｑ２）のゲートに印加されるとともに、保持容量Ｃｓに保持される、そして、保持容量Ｃｓに保持された電圧に応じて、駆動用ＴＦＴ（Ｑ２）に流れるソースドレイン電流が変化する。有機ＥＬ素子ＯＬＥＤはこのソースドレイン電流に応じた輝度で発光し、これにより表示が行われる。
【００２３】
図３は、上述の有機ＥＬ表示装置の動作例を示す波形図である。この動作例では、奇数フィールド期間の奇数ライン映像信号が白レベル（Ｈ）、偶数フィールド期間の偶数ライン映像信号が黒レベル（Ｌ）であり、これらの信号がフィールド期間毎に交互に同一の表示ライン上の画素１１に書き込まれる場合を示している。画素選択用ＴＦＴ（Ｑ１）がオンしている間に映像信号は画素１１に書き込まれ、保持容量Ｃｓによって保持される。
【００２４】
そして、奇数フィールド期間のバッファアンプ２９Ｒはスルーレート１，２に設定され、偶数フィールド期間のスルーレート３，４に設定されている。ここで、スルーレートの数字が小さい程、スルーレートが高いものとする。（スルーレート１＞スルーレート２＞スルーレート３＞スルーレート４である。）
図３の最初の奇数フィールド期間では、バッファアンプ２９Ｒのスルーレートは、最も高いスルーレート１に設定されているので、画素１１内の保持容量Ｃｓに保持される映像信号は急速に立ち上がり、画素選択用ＴＦＴ（Ｑ１）がオフするとそのまま保持される。そして、次の偶数フィールド期間では、バッファアンプ２９Ｒのスルーレートは、最も低いスルーレート４に切り換えられるので、保持容量Ｃｓに保持された電圧は少しだけ低下する。次の奇数フィールド期間ではスルーレートは、スルーレート２に切り換えられる。さらに次の偶数フィールド期間では、スルーレート３に切り換えられる。以下はその繰り返しである。
【００２５】
このように、奇数フィールド期間と偶数フィールド期間とでスルーレートを切り換えることにより、画素１１に書き込まれ、保持される映像信号が平均化される。これにより、有機ＥＬ素子ＯＬＥＤの輝度の変化も平均化され、静止画表示時のちらつき現象を抑制することが可能になる。
【００２６】
なお、スルーレート切換回路２８はインターレース信号が静止画、動画のいずれかに対応するかを判別する機能を備え、インターレース信号が動画に対応する場合には、バッファアンプ２９Ｒ，２９Ｇ，２９Ｂのスルーレートの切り換えを停止するようにしてもよい。
【００２７】
また、本実施形態では、奇数、偶数の各フィールドでスルーレートの切り換えを行っているが、本発明はこれに限られるものではなく、フィールド期間単位以下であるライン走査期間や画素単位期間毎にスルーレートの切り換えを行ってもよい。ライン走査期間や画素単位期間毎にスルーレートを切り換える場合、１画面全体に亘って映像信号を平均化するのではなく、所定のエリアを選択して平均化するのが好適である。ここで、所定のエリアとは、輝度変化の著しいエリアのこと、つまり、隣り合うライン或いは隣り合う画素の映像信号の差が大きいエリアのことを言う。輝度変化が小さいエリアでは、そもそもちらつき現象が出現しないので、映像信号を平均化しなくてもよい。輝度変化の著しいエリアのみを選択し映像信号を平均化することで消費電力を削減することができる。エリアの選択を行う方法としては、例えばフレームメモリなどの判断手段を信号処理回路に設けることが好適である。
【００２８】
また、本実施形態では、奇数フィールド期間のスルーレートをスルーレート１，２に、偶数フィールド期間のスルーレートをスルーレート３，４に設定したが、本発明はこれに限られるものではなく、奇数フィールド期間のスルーレートをスルーレート１，４に、偶数フィールド期間のスルーレートをスルーレート２，３のように自由に設定することができる。さらに、本実施形態では、スルーレートを４段階で設定したが、本発明はこれに限られるものではなく、複数段のスルーレートに設定することができる。
【００２９】
次に、本発明の第２の実施の形態に係る有機ＥＬ表示装置について図面を参照して説明する。第１の実施の形態では、バッファアンプ２９Ｒ，２９Ｇ，２９Ｂのスルーレートを切り換えているが、この実施の形態では、バッファアンプのスルーレートの切り換えはしないで、バッファアンプ２９Ｒ，２９Ｇ，２９Ｂの出力の映像信号を積分して画素１１に供給する積分回路を設けたものである。他の構成については、第１の実施の形態の回路と同じである。
【００３０】
積分回路の例は図４に示すように、バッファアンプ２９Ｒの出力に接続された抵抗３２と、画素１１の保持容量Ｃｓで構成される。これにより、画素１１に書き込まれ保持される映像信号が平均化されることから、静止画表示時のちらつき現象が抑制される。
【００３１】
ここで、抵抗３２の両端に短絡用ＴＦＴ３１を接続し、その短絡用ＴＦＴ３１のオンオフを静止画・動画判別回路３３の判別出力信号によって制御するようにしてもよい。インターレース信号が動画に対応する場合には、抵抗３２の両端を短絡することによって抵抗３２をバイパスする信号経路を形成し、積分回路を除去することができる。
【００３２】
図５は、上述の有機ＥＬ表示装置の動作例を示す波形図である。この動作例でも図３と同様に、奇数フィールド期間の奇数ライン映像信号が白レベル（Ｈ）、偶数フィールド期間の偶数ライン映像信号が黒レベル（Ｌ）であり、これらの信号がフィールド期間毎に交互に同一の表示ライン上の画素１１に書き込まれる場合を示している。画素選択用ＴＦＴ（Ｑ１）がオンしている間に映像信号は画素１１に書き込まれ、保持容量Ｃｓによって保持される。図５の波形から明らかなように、画素１１に書き込まれ保持される映像信号が平均化されることから、有機ＥＬ素子ＯＬＥＤの輝度の変化も平均化され、静止画表示時のちらつき現象が抑制される。
【図面の簡単な説明】
【００３３】
【図１】本発明の第１の実施の形態に係る有機ＥＬ表示装置の回路図である。
【図２】本発明の第１の実施の形態において、画素とバッファアンプとの関係を示す回路図である。
【図３】本発明の第１の実施の形態に係る有機ＥＬ表示装置の動作例を示す波形図である。
【図４】本発明の第２の実施の形態において、画素とバッファアンプとの関係を示す回路図である。
【図５】本発明の第２の実施の形態に係る有機ＥＬ表示装置の動作例を示す波形図である。
【図６】インターレース信号を用いた表示装置の動作を説明する図である。
【図７】インターレース信号を用いた表示装置の機能ブロック図である。
【符号の説明】
【００３４】
１０  表示パネル                  １１  画素
２１  シリアル／パラレル変換器    ２２  ＲＧＢマトリクス
２３  選択回路                    ２４  色補正回路
２５  コントラスト／ブライトネス調整回路
２６  ガンマ補正回路              ２７  Ｄ／Ａ変換器
２８  スルーレート切換回路
２９Ｒ，２９Ｇ，２９Ｂ  バッファアンプ
３０  タイミング制御回路          ３１  短絡用ＴＦＴ
３２  抵抗                        ３３  静止画・動画判別回路  
Ｃｓ  保持容量
Ｑ１  画素選択用ＴＦＴ            Ｑ２  駆動用ＴＦＴ
【図１】
2007310222.tif 000003
【図２】
2007310222.tif 000004
【図３】
2007310222.tif 000005
【図４】
2007310222.tif 000006
【図５】
2007310222.tif 000007
【図６】
2007310222.tif 000008
【図７】
2007310222.tif 000009